(57)【要約】【課題】容易に防滴構造とすることができる揺動式電子部品を提供すること。【解決手段】揺動自在に軸支された揺動体６０と、揺動体６０を所定の位置に復帰させる弾発部材９０と、揺動体６０と弾発部材９０を収納し且つ一方の面を隔壁４０としたケース１０と、隔壁４０の揺動体６０を収納した反対面側に設置される検出手段（移動体１１０，摺動子１３０，フレキシブル回路基板１５０）Ｓとを具備する。揺動体６０に設けた連結部７７を、隔壁４０に設けた挿通孔４３を介して、移動体１１０の連結部係止部１１１に連結する。揺動体６０の揺動動作を、移動体１１０及び摺動子１３０の直線運動に変換して動作させ、フレキシブル回路基板１５０に設けた摺接パターン１５５の出力を変化させる。【選択図】図３
2020013682.tif 000002
【特許請求の範囲】
【請求項１】
揺動自在に軸支された揺動体と、
前記揺動体を所定の位置に復帰させる弾発部材と、
前記揺動体と前記弾発部材を収納し、且つ一方の面を隔壁としたケースと、
前記隔壁の前記揺動体を収納した反対面側に設置される検出手段と、
を具備し、
前記隔壁に設けた挿通孔を介して、前記揺動体と前記検出手段を連結することで、当該検出手段を動作させることを特徴とする揺動式電子部品。
【請求項２】
請求項１に記載の揺動式電子部品であって、
前記検出手段は、前記揺動体に連結される移動体と、当該移動体に取り付けられる摺動子とを具備する電気的機能部であり、これら移動体と摺動子の内、移動体を前記隔壁側に配置したことを特徴とする揺動式電子部品。
【請求項３】
請求項１又は２に記載の揺動式電子部品であって、
前記検出手段はカバーで覆われ、
当該カバーと前記隔壁の間に防滴部材を挟持したことを特徴とする揺動式電子部品。
【発明の詳細な説明】
【技術分野】
【０００１】
本発明は、操作つまみを揺動することで、出力信号を変化させる揺動式電子部品に関するものである。
【背景技術】
【０００２】
従来、例えば特許文献１に示すように、つまみ（９０）の上面の一方の端部近傍部分を下方向に押圧することで、このつまみ（９０）及びこのつまみ（９０）に固定した摺動型物（１０）を揺動し、これによってケース（ケース本体（６１）とケースカバー（８０）からなる）内に収納した電気的機能部（摺動型物（１０）と摺動子（３０）とフレキシブル基板（５０）からなる）の出力信号を変化させる構成の揺動式電子部品（１）がある。つまみ（９０）は、前記ケース内に収納したコイルバネ（４０）の弾発力によって中立位置に自動復帰される。
【先行技術文献】
【特許文献】
【０００３】
【特許文献１】実開平０６−０２６１３０号公報
【発明の概要】
【発明が解決しようとする課題】
【０００４】
しかし、上記構成の揺動式電子部品（１）は、防滴構造となっておらず、このため、ケース内に液体や粉塵などが浸入し易く、これによってケース内に収納した電気的機能部に接続不良を発生させてしまう虞があった。
【０００５】
特に上記構成の揺動式電子部品（１）の場合、ケース内に収納した摺動型物（１０）を、その上方に設置したつまみ（９０）によって押圧して揺動させる構成なので、ケースの上部に開口を設ける必要があり、このためケース内を防滴構造にすることが困難であった。
【０００６】
本発明は上述の点に鑑みてなされたものでありその目的は、容易に防滴構造とすることができる揺動式電子部品を提供することにある。
【課題を解決するための手段】
【０００７】
本発明は、揺動自在に軸支された揺動体と、前記揺動体を所定の位置に復帰させる弾発部材と、前記揺動体と前記弾発部材を収納し、且つ一方の面を隔壁としたケースと、前記隔壁の前記揺動体を収納した反対面側に設置される検出手段と、を具備し、前記隔壁に設けた挿通孔を介して、前記揺動体と前記検出手段を連結することで、当該検出手段を動作させることを特徴としている。
本発明によれば、ケースの隔壁の外側（外壁面側）に検出手段を設置したので、ケース内に浸入してくる液体や粉塵などが検出手段へ浸入することを容易に防止することができる。また検出手段は、ケースの隔壁を利用して、例えばこの隔壁の外壁面上に検出手段を覆うカバーを取り付けるだけで、容易に防滴構造にすることができる。
【０００８】
また本発明は、上記特徴に加え、前記検出手段は、前記揺動体に連結される移動体と、当該移動体に取り付けられる摺動子とを具備する電気的機能部であり、これら移動体と摺動子の内、移動体を前記隔壁側に配置したことを特徴としている。
本発明によれば、検出手段を構成する移動体と摺動子の内、移動体を隔壁側に配置したので、摺動子の弾発力によって移動体をケースの隔壁側に押圧して密着させることができる。このため、隔壁に設けた挿通孔に連通しているカバー内の空間を、移動体の密着によって容易に密閉することができ、これによって、摺動子等の電気的部品の防滴を図ることができる。
【０００９】
また本発明は、上記特徴に加え、前記検出手段はカバーで覆われ、当該カバーと前記隔壁の間に防滴部材を挟持したことを特徴としている。
これによって、隔壁の外壁面とカバーとが当接する部分からカバー内部に液体などが浸入することを確実に防止することができ、カバーによる検出手段の防滴効果をさらに向上させることができる。なお、前述のように、検出手段を構成する移動体と摺動子の内、移動体を隔壁側に配置した場合において、移動体を前記防滴部材に当接させれば、隔壁に設けた挿通孔に連通しているカバー内の空間を、より確実に密閉することができ、さらに好適である。
【発明の効果】
【００１０】
本発明によれば、揺動式電子部品の検出手段を容易に防滴構造とすることができる。
【図面の簡単な説明】
【００１１】
【図１】揺動式電子部品１の斜視図である。
【図２】揺動式電子部品１の斜視図である。
【図３】揺動式電子部品１の断面図（図１のＡ−Ａ断面矢視図）である。
【図４】揺動式電子部品１の分解斜視図である。
【図５】揺動式電子部品１の分解斜視図である。
【発明を実施するための形態】
【００１２】
以下、本発明の実施形態を、図面を参照して詳細に説明する。図１は本発明の１実施形態に係る揺動式電子部品１の斜視図、図２は別の角度から見た揺動式電子部品１の斜視図、図３は揺動式電子部品１の断面図（図１のＡ−Ａ断面矢視図）、図４は図１に示す揺動式電子部品１の分解斜視図、図５は図２に示す揺動式電子部品１の分解斜視図である。これらの図に示すように、揺動式電子部品１は、ケース本体２０と隔壁４０とによって形成されるケース１０内に、揺動体６０と弾発部材９０とを収納し、一方、隔壁４０の前記揺動体６０を収納した反対面側（隔壁４０の外壁面側）に、防滴部材（以下「防滴シート」という）１００と移動体１１０と摺動子１３０と回路基板（以下「フレキシブル回路基板」という）１５０とカバー１７０とを取り付け、更に上記ケース１０の上部に操作つまみ１９０を設置して構成されている。なお以下の説明において、「上」とは揺動体６０から操作つまみ１９０を見る方向をいい、「下」とはその反対方向をいうものとする。
【００１３】
ケース本体２０は、合成樹脂を略矩形状であって、下記する揺動体６０を収納する側に略半円形凹状の揺動体収納部２１を形成するように成形して構成されている。揺動体収納部２１内の中央上部には、円形の貫通孔からなる軸支孔２３が形成され、また揺動体収納部２１内の軸支孔２３の左右両側斜め下方には、板状に突出する一対のバネ係止部２５，２７が設けられている。バネ係止部２５，２７の下端辺は、それぞれバネ当接部２５ａ，２７ａとなっている。またケース本体２０の揺動体６０側を向く左右両辺近傍の上下３か所ずつには、小突起状の取付部２９が形成されている。
【００１４】
隔壁４０は、合成樹脂を略矩形板状であって、前記ケース本体２０の揺動体収納部２１を塞ぐ形状に成形して構成されている。隔壁４０の上部中央の、前記ケース本体２０の軸支孔２３に対向する位置には、円形の貫通孔からなる軸支孔４１が形成され、またその下部中央には、円弧状の貫通孔からなる挿通孔４３が形成されている。また隔壁４０の左右両辺近傍の上下３か所ずつには、小孔からなる被取付部４５が形成されている。各被取付部４５は、前記ケース本体２０の各取付部２９に対向する位置に設けられている。隔壁４０の前記ケース本体２０側とは反対面側の、前記軸支孔４１の左右両側斜め下方には、小突起状の取付部４７が設けられ、また挿通孔４３の下部には、平板状で横長で水平に摺動子載置部４９が突設されている。摺動子載置部４９の先端辺の中央には、小突起状の係止部５１が設けられている。この摺動子載置部４９は下記するように、防滴の作用も有する防滴部でもある。
【００１５】
揺動体６０は、合成樹脂を略矩形板状であって、前記ケース本体２０の揺動体収納部２１に収納される外形形状に成形して構成されている。揺動体６０の両面中央付近からは、略円柱状の軸部６１，６３が突出している。両軸部６１，６３は同一中心軸上に形成され、それぞれ前記ケース本体２０の軸支孔２３と前記隔壁４０の軸支孔４１に回転自在に挿入される寸法に形成されている。両軸部６１，６３の先端面には、下記する操作つまみ１９０の被係合部１９３，１９５に係合される略矩形状に突出する係合部６５，６７が形成されている。揺動体６０のケース本体２０側を向く面の軸部６１の左右両側の斜め下方には、一対のバネ係止部６９，７１が設けられている。バネ係止部６９，７１の下端辺が、それぞれバネ当接部６９ａ，７１ａとなっている。これらバネ係止部６９，７１は、前記ケース本体２０のバネ係止部２５，２７の外側を覆う位置に形成されている。また軸部６１の上部には、下記する弾発部材９０のコイル部９１がケース本体２０側に移動するのを防止する小突起状のコイル部係止部７３が上方向に向かって突出するように形成されている。また揺動体６０の下端部中央から下方向に向かって連結部支持部７５が突出し、この連結部支持部７５の下端近傍の隔壁４０に対向する側の面から円柱状の突起からなる連結部７７が突出している。また揺動体６０上部は水平面状（直線状）に形成されており、その左右の部分がつまみ押圧部７９，８１となっている。
【００１６】
弾発部材９０は、弾性金属線をコイル状に巻き回し、そのコイル部９１の両端から半径方向外方に向かって係止部９３，９５を直線状に引き出して構成されている。
【００１７】
防滴シート（撥水性シート）１００は、フッ素樹脂製のシートであって略台形状に形成され、その中央に円弧状の貫通孔からなる挿通孔１０１を設け、挿通孔１０１の下方に直線状の貫通孔からなる挿入孔１０３を設け、さらに各角部近傍の４か所に小孔からなる取付孔１０５を設けて構成されている。挿通孔１０１は、前記揺動体６０の連結部７７を揺動自在に挿入する寸法形状に形成されている。挿入孔１０３は、前記隔壁４０の摺動子載置部４９を挿入する寸法形状に形成されている。フッ素樹脂製のシートは、撥水性、低摩擦性、適度な弾力性を有するシートであるが、防滴シート１００はこの材質に限定されず、所望の撥水性、低摩擦性、適度な弾力性を有するシートであれば、他の各種材質のシートで構成しても良く、特に防滴のためには撥水性を有するシートが好ましい。
【００１８】
移動体１１０は、合成樹脂を略矩形状に成形して構成されており、前記隔壁４０に対向する面の中央に、上下方向に長尺で直線凹状の連結部係止部１１１を設け、一方反対側の面を摺動子取付面１１３としている。摺動子取付面１１３には小突起からなる一対の摺動子取付部１１５，１１５が設けられている。
【００１９】
摺動子１３０は、弾性金属板製であり、平板状の基部１３１と、基部１３１の１辺から突出してその根元部分を約１８０°折り返してなる一対の接点部１３３，１３３とを具備して構成されている。基部１３１には、小孔からなる一対の被取付部１３５，１３５が形成されている。
【００２０】
フレキシブル回路基板１５０は、合成樹脂フィルム製であり、横長で略矩形状の基板本体部１５１の下辺中央から帯状の引出部１５３を引き出す形状に形成されている。基板本体部１５１の隔壁４０に対向する側の面には、摺接パターン１５５が形成されている。摺接パターン１５５は、この例ではスイッチパターンになっている。また基板本体部１５１の左右両端近傍には、小孔からなる取付部１５７，１５７が形成され、また基板本体部１５１の前記引出部１５３を接続した根元部分には、前記隔壁４０の係止部５１を挿通する小孔からなる被取付部１５９が形成されている。
【００２１】
カバー１７０は、合成樹脂を横長の略箱型に成形して構成されており、隔壁４０側に向かって収納部１７１を開口している。収納部１７１の底面の左右両側位置には、前記フレキシブル回路基板１５０の一対の被取付部１５７，１５７に挿入される一対の小突起からなる取付部１７３，１７３（図５ではその一方のみ示す）が形成され、また収納部１７１の底面の中央下部には、前記隔壁４０の係止部５１を挿通する有底の小穴からなる被係止部１７５が形成されている。カバー１７０の左右両側には、左右両外方に向けて平板状の取付部１７７，１７７が突出しており、各取付部１７７，１７７に２つずつの小孔からなる被取付部１７９が形成されている。なお、カバー１７０の隔壁４０を向く側の収納部１７１の周囲の面は、下辺中央に設けた凹状の基板挿入部１８１を除いて、同一面となっており、この同一面は全て前記防滴シート１００に当接する構成となっている。
【００２２】
操作つまみ１９０は、合成樹脂を下方が開口する略箱型に成形して構成されており、その内部を収納部１９１とし、またその両側面の中央下部に、前記揺動体６０の係合部６５，６７を係止する略矩形状の貫通孔からなる被係合部１９３，１９５を形成している。操作つまみ１９０の収納部１９１内には、前記揺動体６０のつまみ押圧部７９，８１に当接する揺動体当接部１９７（図３参照）が形成されている。
【００２３】
揺動式電子部品１を組み立てるには、まず予め、移動体１１０の摺動子取付面１１３に摺動子１３０の基部１３１を設置し、その際基部１３１に設けた被取付部１３５，１３５に、移動体１１０に設けた摺動子取付部１１５，１１５を挿入・固定して一体化しておく。また、カバー１７０の収納部１７１内にフレキシブル回路基板１５０の基板本体部１５１を挿入して収納部１７１の底面に設置し、その際、基板本体部１５１の各被取付部１５７，１５７にカバー１７０の各取付部１７３，１７３を挿入し、各取付部１７３，１７３の先端を熱カシメして固定しておく。
【００２４】
次に、揺動体６０のコイル部係止部７３に、弾発部材９０のコイル部９１の上部中央部分を係止し、同時に、揺動体６０の両バネ当接部６９ａ，７１ａに、弾発部材９０の各係止部９３，９５を係止する。次に、この弾発部材９０を取り付けた揺動体６０を、ケース本体２０の揺動体収納部２１に収納し、その際、揺動体６０の軸部６１をケース本体２０の軸支孔２３に回動自在に挿入する。同時にこのとき、弾発部材９０の両係止部９３，９５を、ケース本体２０の両バネ当接部２５ａ，２７ａに係止する。つまり、弾発部材９０の両係止部９３，９５は、ケース本体２０の両バネ当接部２５ａ，２７ａと揺動体６０の両バネ当接部６９ａ，７１ａに同時に係止され、揺動体６０は中立位置に弾発・保持される。
【００２５】
次に、揺動体６０と弾発部材９０を取り付けたケース本体２０の揺動体収納部２１側の面に、この揺動体収納部２１を塞ぐように、隔壁４０を設置する。このとき揺動体６０の軸部６３は、隔壁４０の軸支孔４１に回動自在に挿入される。同時に、揺動体６０に設けた連結部７７は、隔壁４０の挿通孔４３に挿通され、隔壁４０の反対面側に突出する。またこのときケース本体２０の各取付部２９は、隔壁４０の各被取付部４５に挿入され、隔壁４０の反対面側に突出する。このとき、ケース本体２０と隔壁４０によって１つのケース１０が構成される。即ち、ケース１０内（揺動体収納部２１内）には揺動体６０と弾発部材９０が収納されることとなる。
【００２６】
次に、隔壁４０の揺動体６０を収納した反対面側（即ち外壁面側）に、防滴シート１００を設置し、その際、防滴シート１００の４つの取付孔１０５に、隔壁４０に設けた２つの取付部４７と、隔壁４０を貫通したケース本体２０の最も下に位置する２つの取付部２９とを挿入し、防滴シート１００の挿通孔１０１に隔壁４０を貫通した揺動体６０の連結部７７を挿通し、防滴シート１００の挿入孔１０３に隔壁４０の摺動子載置部４９を挿入する。そして、隔壁４０を貫通したケース本体２０の最も上に位置する２つの取付部２９の先端と、隔壁４０の２つの取付部４７の先端を、それぞれ熱カシメして固定する。
【００２７】
次に、前記フレキシブル回路基板１５０の基板本体部１５１を収納設置したカバー１７０の収納部１７１内に、摺動子１３０を取り付けた移動体１１０を挿入したものを、防滴シート１００の上から隔壁４０上に載置し、その際、隔壁４０の挿通孔４３及び防滴シート１００の挿通孔１０１から突出する揺動体６０の連結部７７の先端部分を、移動体１１０の連結部係止部１１１に挿入する。同時に、隔壁４０を貫通したケース本体２０の下側４つの取付部２９を、カバー１７０に設けた４つの被取付部１７９に挿入する。また同時に、隔壁４０に設けた係止部５１を、フレキシブル回路基板１５０の被取付部１５９とカバー１７０の被係止部１７５に挿入する。そして、ケース本体２０の下側４つの取付部２９の先端を、それぞれ熱カシメして固定する。このとき、隔壁４０の外壁面とカバー１７０の間に収納された移動体１１０や摺動子１３０やフレキシブル回路基板１５０（基板本体部１５１）によって、出力信号を変化させる検出手段（以下「電気的機能部」という）Ｓが構成される。摺動子１３０の一対の接点部１３３，１３３は、基板本体部１５１に弾接し、その摺接パターン１５５に当接する。
【００２８】
そして、上記のように組み立てたケース１０の上から操作つまみ１９０を被せ、その被係合部１９３，１９５に、前記ケース１０の左右両側から突出する揺動体６０の係合部６５，６７をスナップイン方式によって係合する。このとき、操作つまみ１９０の揺動体当接部１９７が揺動体６０のつまみ押圧部７９，８１に当接する。これによって、操作つまみ１９０と揺動体６０が一体に揺動自在となり、揺動式電子部品１が完成する。なお上記組立手順はその一例であり、他の各種異なる組立手順を用いて組み立てても良いことはいうまでもない。
【００２９】
次に、揺動式電子部品１の動作を説明する。操作つまみ１９０が中立の状態にあるとして、操作つまみ１９０の上面の一方の端部側を、例えば図１に矢印Ｂで示すように押圧すると、弾発部材９０の弾発力に抗して、操作つまみ１９０と揺動体６０が揺動体６０の軸部６１，６３の中心軸を中心にして、押圧された方向に揺動する。これによって、揺動体６０の連結部７７が揺動方向に移動し、この連結部７７に連結されている移動体１１０がカバー１７０の収納部１７１内を左右方向に直線移動する。これによって、移動体１１０に取り付けた摺動子１３０の接点部１３３，１３３がフレキシブル回路基板１５０の摺接パターン１５５上を摺動し、それに伴ってその出力信号（電気的出力）が変化する。前記操作つまみ１９０への押圧を解除すれば、弾発部材９０の弾発復帰力によって、操作つまみ１９０、揺動体６０、移動体１１０及び摺動子１３０は元の中立位置に戻り、フレキシブル回路基板１５０の出力信号も元の状態に戻る。操作つまみ１９０の上面の他方の端部側を押圧すれば、揺動体６０の連結部７７及びこれに連結する移動体１１０は上記とは反対の方向に移動し、それに伴ってフレキシブル回路基板１５０の出力信号が変化する。
【００３０】
そして上記構成の揺動式電子部品１は、ケース１０の隔壁４０に設けた挿通孔４３を介して、揺動体６０と移動体１１０などの電気的機能部Ｓを連結することで、当該電気的機能部Ｓを動作させる構成としたので、即ち、ケース１０の隔壁４０の外側（外壁面側）に電気的機能部Ｓを設置したので、ケース１０内に浸入してくる液体や粉塵などが電気的機能部Ｓへ浸入することを容易に防止することができ、電気的機能部Ｓを容易に防滴構造とすることが可能になる。具体的に上記実施形態では、ケース１０の隔壁４０を利用して、この隔壁４０の外壁面上に電気的機能部Ｓを覆うカバー１７０を取り付ける構成とすることで、容易に防滴構造にすることができた。カバー１７０の隔壁４０を向く側の収納部１７１の周囲の面は、基板挿入部１８１を除いて同一面となっているので、基板挿入部１８１以外の部分からの液体などの浸入は確実に防止できる。なお、基板挿入部１８１を設けた部分は下向きなので、液体が入りにくい上、図３に示すように、基板挿入部１８１の真上には隔壁４０の摺動子載置部（防滴部）４９が配置されているので、例え基板挿入部１８１から液体などが浸入しても、電気的機能部Ｓに到達するまでの距離（沿面距離）を長く取ることができ、効果的な防滴効果を得ることができる。なおこの摺動子載置部４９は、フレキシブル回路基板１５０の引出部１５３の根元部分をカバー１７０の収納部１７１の底面に押し付ける作用も有し、これによって基板本体部１５１を収納部１７１の底面に確実に密着するように設置することができる。
【００３１】
また上記実施形態では、カバー１７０と隔壁４０の間に、撥水性と適度な弾力性を有する防滴シート１００を挟持したので、隔壁４０の外壁面とカバー１７０とが当接する部分からカバー１７０内部に液体などが浸入することをさらに確実に防止することができ、カバー１７０による電気的機能部Ｓの防滴効果をさらに向上させることができる。
【００３２】
またこの実施形態における電気的機能部Ｓは、移動体１１０と摺動子１３０とフレキシブル回路基板１５０（その摺接パターン１５５）とを具備しているが、移動体１１０と摺動子１３０の内、移動体１１０を隔壁４０側に配置したので、摺動子１３０の弾発力によって移動体１１０をケース１０の隔壁４０側に押圧して密着させることができる。このため、移動体１１０の隔壁４０側を向く外周辺（この実施形態の場合４辺全部）を隔壁４０（具体的には防滴シート１００）に密着させることで、隔壁４０の挿通孔４３に連通しているカバー１７０内の空間（移動体１１０の隔壁４０側を向く外周辺に囲まれる空間）を、カバー１７０内の摺動子１３０や摺接パターン１５５等の電気的部品を設置している空間に対して密閉することができ、電気的部品の防滴を図ることができる。特に上記実施形態のように、移動体６０の隔壁４０側を向く外周辺を防滴シート１００に当接させれば、隔壁４０に設けた挿通孔４３に連通しているカバー１７０内の空間を、電気的機能部Ｓを設置している空間に対して、より確実に密閉することができ、好適である。
【００３３】
以上本発明の実施形態を説明したが、本発明は上記実施形態に限定されるものではなく、特許請求の範囲、及び明細書と図面に記載された技術的思想の範囲内において種々の変形が可能である。なお直接明細書及び図面に記載がない何れの形状や構造や材質であっても、本願発明の作用・効果を奏する以上、本願発明の技術的思想の範囲内である。例えば、上記実施形態では移動体の移動方向として直線方向を示したが、移動体の移動方向は、円弧方向やその他の曲線方向など、直線方向以外の各種方向であっても良い。上記実施形態では、揺動体に突出する連結部を設けて隔壁の挿通孔に貫通して移動体に連結したが、その代わりに、移動体に突出する連結部を設けて隔壁の挿通孔に貫通して揺動体に連結する構成としても良く、要は、隔壁に設けた挿通孔を介して揺動体と検出手段を連結する構成であればどのような構成であっても良い。操作つまみは必ずしも必要なく、揺動体自体を指やその他のアクチュエータ等によって揺動させる構成としても良い。弾発部材は捩りコイルバネに限定されず、板ばねや圧縮コイルバネなどの他の各種弾発部材であっても良い。弾発部材が揺動体を自動復帰させる位置は、中央位置（中立位置）に限られず、例えば揺動体が一方の側に揺動しきって停止する位置に自動復帰させる構成であっても良い。上記実施形態では、ケース本体と隔壁によってケースを構成したが、１つの部品によってケースを構成しても良いし、３つ以上の部品によってケースを構成しても良い。検出手段は、電気的な出力信号を変化させる電気的機能部に限られず、磁気的な出力信号、光学的な出力信号などを変化させる検出手段であっても良い。また上記実施形態では、防滴部材として防滴シートを用いたが、厚みのある防滴板やその他の形状の防滴部材を用いても良い。また、上記記載及び各図で示した実施形態は、その目的及び構成等に矛盾がない限り、互いの記載内容を組み合わせることが可能である。また、上記記載及び各図の記載内容は、その一部であっても、それぞれ独立した実施形態になり得るものであり、本発明の実施形態は上記記載及び各図を組み合わせた一つの実施形態に限定されるものではない。
【符号の説明】
【００３４】
１  揺動式電子部品
１０  ケース
２０  ケース本体（ケース）
４０  隔壁（ケース）
４３  挿通孔
６０  揺動体
７７  連結部
９０  弾発部材
１００  防滴シート（防滴部材）
１１０  移動体（電気的機能部、検出手段）
１３０  摺動子（電気的機能部、検出手段）
１５０  フレキシブル回路基板（回路基板、電気的機能部、検出手段）
１５５  摺接パターン
１７０  カバー
１９０  操作つまみ
Ｓ  電気的機能部（検出手段）
【図１】
2020013682.tif 000003
【図２】
2020013682.tif 000004
【図３】
2020013682.tif 000005
【図４】
2020013682.tif 000006
【図５】
2020013682.tif 000007